(57)【要約】【課題】画面内の色ムラ・光量ムラを抑え画面品質を向上させる色分解光学系を提供すること。【解決手段】本発明に係る色分解光学系１０は、偏光方向が第１の偏光方向に揃えられた白色光に含まれる所定の波長領域の緑色光の偏光方向を、第１の偏光方向と略直交する第２の偏光方向に変換して出力し且つ赤色光及び青色光を第１の偏光方向のまま出力する波長選択性偏光変換素子と、波長選択性偏光変換素子からの白色光が入射され、３原色光に分解する色分解用クロスプリズムであって、所定の波長領域内の第１境界波長より長波長で第１の偏光方向の光を反射し且つ第２の偏光方向の緑色光を透過する反射膜が形成されているＲ反射面と、所定の波長領域内の第２境界波長より短波長で第１の偏光方向の光を反射し且つ第２の偏光方向の緑色光を透過する反射膜が形成されているＢ反射面とを有する前記色分解用クロスプリズムとを備えることを特徴とする。【選択図】　図１
2004126358.tif 000002
【特許請求の範囲】
【請求項１】
偏光方向が第１の偏光方向に揃えられた白色光に含まれる所定の波長領域の緑色光の偏光方向を、前記第１の偏光方向と略直交する第２の偏光方向に変換して出力し且つ前記白色光に含まれる赤色光及び青色光は前記第１の偏光方向のまま出力する波長選択性偏光変換素子と、
前記波長選択性偏光変換素子から出力される赤色光、青色光、及び緑色光を含む白色光が入射され、該白色光を赤色光、青色光、及び緑色光に分解して出力する色分解用クロスプリズムであって、前記所定の波長領域内における第１境界波長より長波長で偏光方向が前記第１の偏光方向である光を反射し且つ前記第２の偏光方向の緑色光を透過する反射膜が形成されているＲ反射面と、前記所定の波長領域内における第２境界波長より短波長で偏光方向が前記第１の偏光方向である光を反射し且つ前記第２の偏光方向の緑色光を透過する反射膜が形成されているＢ反射面とを有する前記色分解用クロスプリズムと
を備えることを特徴とする色分解光学系。
【請求項２】
前記所定の波長領域が約５４０ｎｍ〜５６０ｎｍであることを特徴とする請求項１に記載の色分解光学系。
【請求項３】
前記第１境界波長及び前記第２境界波長が夫々約５４０ｎｍ〜５６０ｎｍに設定されていることを特徴とする請求項１又は２に記載の色分解光学系。
【発明の詳細な説明】
【０００１】
【発明の属する技術分野】
本発明は、液晶プロジェクタ等で用いられる色分解光学系に関するものである。
【０００２】
【従来の技術】
３枚の液晶素子を用いたフルカラーの液晶プロジェクタでは、光源からの白色光は、まずインテグレータ光学系、例えばフライアイレンズにより照明強度が一様にされ、色分解光学系に入射される。色分解光学系は、入射された光を赤色光、青色光、緑色光の３原色光に分解する。色分解光学系で分けられた３原色光は、夫々の色光に対応する液晶素子に入射される。
【０００３】
液晶素子に入射された光は、画像情報に基づいて変調される。そして液晶素子からの出力光は、色合成用クロスプリズムに入射される。色合成用クロスプリズムは、３原色光に対応する液晶素子から出力された光を合成して出力する。色合成用クロスプリズムから出力された光は、投影レンズによりスクリーンに投影される。
【０００４】
上記のような液晶プロジェクタに用いられる色分解光学系の１つとして、色分解用クロスプリズムが用いられている（例えば、特許文献１参照）。この色分解用クロスプリズムの一方の対角面は、赤色光を反射し青色光と緑色光とを透過する反射膜が形成されＲ反射面として機能し、他方の対角面は、青色光を反射し赤色光と緑色光とを透過する反射膜が形成されＢ反射面として機能する。
【０００５】
【特許文献１】
特開２０００−３９５８３号公報
【０００６】
【発明が解決しようとする課題】
しかしながら、上記の色分解用クロスプリズムを使用した場合、スクリーン上の画面において色ムラが生じるという問題がある。
【０００７】
本発明の目的は、画面内の色ムラを抑え画面品質を向上させる色分解光学系を提供することである。
【０００８】
【課題を解決するための手段】
上記問題点を解決するために本発明者は鋭意研究を重ね、前記問題点が色分解用クロスプリズムに入射される光が偏光方向の揃えられた白色光であって、平行光ではないことに起因すると考えた。
【０００９】
即ち、色分解用クロスプリズムに用いられる反射膜には、その反射特性に偏光方向の依存性があるため色分解用クロスプリズムで反射させる白色光の偏光方向を揃えておくことが好適であった。また、液晶素子には偏光方向の揃えられた光を入射する必要があるため、当該液晶素子に入射する前に光の偏光方向を揃える必要がある。偏光方向は、従来色分解用クロスプリズムに入射する前に偏光方向を揃えていた。
【００１０】
ところで、青色光、緑色光、赤色光の波長領域は夫々、約４００〜５００ｎｍ、約５００ｎｍ〜５８０ｎｍ，約６００ｎｍ〜７００ｎｍである。そのため、上述したように偏光方向の揃っている白色光を色分解用クロスプリズムで３原色光に分解するためには、Ｒ反射面の境界波長を５９０ｎｍに設定し、５９０ｎｍより赤色光を反射させ、５９０ｎｍ以下の緑色光、青色光を透過させることが必要であった。また、Ｂ反射面の境界波長を５００ｎｍに設定し、５００ｎｍより短波長の青色光を反射させ、５００ｎｍ以上の緑色光、赤色光を透過させる必要があった。
【００１１】
一方、インテグレータ光学系から出力される光は、照明用レンズで液晶素子に一様に照射されるようにされている。従って、色分解用クロスプリズムに入射される白色光は一般に平行光ではない。このように平行光でない光が色分解用クロスプリズムに入射されるとＲ反射面及びＢ反射面に入射する光の角度は入射位置で異なる。通常、反射膜の分光特性は、特定の入射角度に対して設計されているため、入射角度が変わると分光特性が変化する、即ち、境界波長が変動する。
【００１２】
従って、上述したようにＲ反射面及びＢ反射面が夫々５９０ｎｍ、５００ｎｍに境界波長を有していると、境界波長の変動が反射される光に影響する。例えば、Ｒ反射面において、一方の縁部側の部分で反射される光に対しては、より長波長である赤色光側に境界波長があり、他方の縁部側の部分で反射される光に対しては、短波長側である緑色光側の位置に境界波長がある状態が生じる場合がある。そのため、赤色光のみスクリーンに投影すると、一方の縁部側の部分で反射された光は深い赤色に表示され、他方の縁部側の部分で反射された光は緑色光側の黄色光も反射されているためにオレンジ色に表示される。即ち、画面において色ムラが生じる場合がある。
【００１３】
本発明者は上記のような課題の分析に基づいて、色分解光学系に入射させる光のうち、赤色光と青色光の波長領域の間に位置する緑色光の偏光方向のみを変えて、色分解用クロスプリズムのＲ反射面及びＢ反射面の反射波長領域を広げることにより上記課題を解決できることを見出した。
【００１４】
即ち、本発明に係る色分解光学系は、偏光方向が第１の偏光方向に揃えられた白色光に含まれる所定の波長領域の緑色光の偏光方向を、第１の偏光方向と略直交する第２の偏光方向に変換して出力し且つ白色光に含まれる赤色光及び青色光は第１の偏光方向のまま出力する波長選択性偏光変換素子と、波長選択性偏光変換素子から出力される赤色光、青色光、及び緑色光を含む白色光が入射され、該白色光を赤色光、青色光、及び緑色光に分解して出力する色分解用クロスプリズムであって、前記所定の波長領域内における第１境界波長より長波長で偏光方向が第１の偏光方向である赤色光を反射し且つ第２の偏光方向の緑色光を透過する反射膜が形成されているＲ反射面と、前記所定の波長領域内における第２境界波長より短波長で偏光方向が第１の偏光方向である青色光を反射し且つ第２の偏光方向の緑色光を透過する反射膜が形成されているＢ反射面とを有する前記色分解用クロスプリズムとを備えることを特徴とする。尚、上記第１境界波長及び第２境界波長は、反射膜の分光特性において透過率が０％から１００％に変化する波長領域において、透過率５０％に相当する波長を意味する。
【００１５】
上記の構成において、波長選択性偏光変換素子に入射された白色光において、所定の波長領域の緑色光は第１の偏光方向から第２の偏光方向に変換されて出力される。また、色分解用クロスプリズムのＲ反射面及びＢ反射面は第１の偏光方向の光に対して作用する。以上のことから波長選択性偏光変換素子から出力され色分解用クロスプリズムに入射された緑色光はＲ反射面及びＢ反射面を透過する。
【００１６】
また、波長選択性偏光変換素子は、赤色光及び青色光を第１の偏光方向のまま出力する。色分解用クロスプリズムのＲ反射面及びＢ反射面は、夫々第１境界波長及び第２境界波長を緑色光の波長領域に有するが、第１の偏光方向の光に対して作用するため上記のように緑色光は透過する。従って、Ｒ反射面及びＢ反射面で赤色光及び青色光が夫々反射される。
【００１７】
上述したように、本発明に係る色分解光学系により白色光は赤色光、青色光、緑色光に分解される。また、白色光の入射角度の違いにより、緑色光の波長領域に設定されている第１境界波長及び第２境界波長が緑色光の波長領域内で変動しても赤色光及び青色光に関する反射には影響が生じない。
【００１８】
上記所定の波長領域が約５００ｎｍ〜５８０ｎｍであることが望ましい。このような波長領域の光の偏光方向を第２の偏光方向とし、色分解用クロスプリズムに入射させることで、Ｒ反射面及びＢ反射面に対して緑色光を有効に透過させることができる。また、５００ｎｍより短波長の光がＢ反射面で反射され、５８０ｎｍより長波長の光がＲ反射面で反射されるため、色分解用クロスプリズムにより青色光及び赤色光を有効且つ十分に分割することができる。
【００１９】
本発明に係る色分解光学系の色分解用クロスプリズムにおけるＲ反射面の第１境界波長及びＢ反射面の第２境界波長が夫々約５４０ｎｍ〜５６０ｎｍに設定されていることは好適である。
【００２０】
このような波長領域に第１境界波長及び第２境界波長があることにより、それらの境界波長が、Ｒ反射面及びＢ反射面への入射角度により約２０ｎｍの幅で変動したとしても赤色光及び青色光の反射特性は変わらない。
【００２１】
【発明の実施の形態】
以下、図面を参照して本発明の好適な実施形態について説明する。全図を通し、同一又は相当部分には同一符号を付することとする。
【００２２】
図１に、本発明に係る色分解光学系を適用した液晶プロジェクタの概略構成図を示す。
【００２３】
図１に示す液晶プロジェクタ１０は、光源であるランプ１２と、２つのフライアイレンズ１４，１６と、偏光方向整列素子１８と、照明用レンズ２０と、色分解光学系２２と、偏光ビームスプリッター（ＰＢＳ）２４と、反射型液晶素子２６と、色合成用クロスプリズム２８と、投影レンズ３０と、光の進行方向を変えるためのミラー３２，３４とを含んで構成されている。
【００２４】
この液晶プロジェクタ１０において、ランプ１２から出力された白色光は、フライアイレンズ１４，１６を経て偏光方向整列素子１８に入射される。フライレンズ１４，１６は、反射型液晶素子２６への照明強度を一様にするものである。偏光方向整列素子１８は、入射された光の偏光方向を揃えて出力する光学部品であり、白色光の偏光方向はＳ偏光の方向（第１の偏光方向）に揃えられて出力される。偏光方向整列素子１８から出力された白色光は照明用レンズ２０及びミラー３２を経て色分解光学系２２に入射される。色分解光学系２２は、白色光を赤色光、青色光、緑色光の３原色光に分解する。
【００２５】
色分解光学系２２から出力された赤色光、青色光、緑色光は、ミラー３４により進行方向を変えられてＰＢＳ２４に入射される。ＰＢＳ２４は、偏光方向によって光の進行方向を分離するものであり、入射された３原色光の偏光方向に応じて各色光に対応した反射型液晶素子２６側に光を出力する。反射型液晶素子２６は、入射された光の偏光方向を画像情報に基づいて適宜回転させて反射、即ち、出力する。反射型液晶素子２６から出力された光は、再度ＰＢＳ２４に入射されるが、その光の偏光方向は反射型液晶素子２６に入射された時と異なっており、ＰＢＳ２４を透過して色合成用クロスプリズム２８側に出力される。色合成用クロスプリズム２８は、反射型液晶素子２６から出力された３つの光を１つの光に合成する。この色合成用クロスプリズム２８で合成された光は、投影レンズ３０により図示しないスクリーンに投影される。
【００２６】
上記構成の液晶プロジェクタ１０における色分解光学系２２は、図２に示すように波長選択性偏光変換素子（以下、単に「偏光変換素子」という）４０と色分解用クロスプリズム４２とを有する。尚、図２中、黒点３６は色分解用クロスプリズム４２の対角面への光の入射面に垂直な偏光であるＳ偏光、両端に鏃を有した矢印３８は前記入射面に平行な偏光であるＰ偏光を夫々概略的に示したものである。
【００２７】
偏光変換素子４０は、色分解用クロスプリズム４２の直前に配置されている。偏光変換素子４０には、偏光方向整列素子１８によりＳ偏光に揃えられた白色光が入射される。偏光変換素子４０は、特定の波長領域の光の偏光方向を回転させて出力するものであり、入射される白色光において波長領域５００ｎｍ〜５８０ｎｍ（所定の波長領域）の緑色光に関し、その偏光方向をＳ偏光の方向からＰ偏光の方向（第２の偏光方向）に回転させて出力する。以下、緑色光とは上述した波長領域５００ｎｍ〜５８０ｎｍの光を意味するものとする。また、偏光変換素子４０は、入射される白色光の緑色光以外の光である青色光、赤色光の偏光はＳ偏光のまま出力する。偏光変換素子４０から出力されたＰ偏光の緑色光並びにＳ偏光の赤色光及び青色光を含む白色光は、色分解用クロスプリズム４２に入射される。
【００２８】
色分解用クロスプリズム４２は、Ｓ偏光の赤色光を反射する反射膜が形成されているＲ反射面４４と、Ｓ偏光の青色光を反射する反射膜が形成されているＢ反射面４６とを有している。Ｒ反射面４４とＢ反射面４６とは、色分解用クロスプリズム４２の対角面に相当し直交している。Ｒ反射面４４の分光特性及びＢ反射面４６の分光特性を夫々図３（ａ）及び図３（ｂ）に概略的に示す。図３において横軸は波長を示し、縦軸はＳ偏光透過率を示している。Ｒ反射面４４及びＢ反射面４６はともに、緑色光の波長領域、即ち、５００ｎｍ〜５８０ｎｍであって、５４０ｎｍ〜５６０ｎｍに境界波長λを有する。図３（ａ）に示すようにＲ反射面４４はＳ偏光の光であって境界波長λより長波長の光を反射し短波長の光を透過する。また、図３（ｂ）に示すようにＢ反射面４６はＳ偏光の光であって、境界波長λより短波長の光を反射し長波長の光を透過する。
【００２９】
上述したように色分解用クロスプリズム４２に形成されているＲ反射面４４及びＢ反射面４６はＳ偏光の光を反射する。偏光変換素子４０から出力される白色光に含まれる赤色光と青色光とはＳ偏光であるため夫々Ｒ反射面４４及びＢ反射面４６で反射される。即ち、色分解用クロスプリズム４２の第１面４８から入射される白色光において、赤色光はＲ反射面４４で反射されて第２面５０から出力され、青色光はＢ反射面４６で反射されて第４面５４から出力される。また、色分解用クロスプリズム４２に入射される白色光において緑色光はＰ偏光である。そのため、Ｒ反射面４４及びＢ反射面４６の境界波長λが上述したように緑色光の波長領域内の５４０ｎｍ〜５６０ｎｍに設定されていても、その影響は受けずに色分解用クロスプリズム４２の対角面を透過して第３面５２より出力される。従って、色分解用クロスプリズム４２の第１面４８に入射された白色光は、赤色光、緑色光、青色光に分解されて夫々第２面５０、第３面５２、第４面５４から出力される。
【００３０】
従来、色分解光学系としては図４に示す色分解用クロスプリズム５６のみを用いていた。そのため、色分解用クロスプリズム５６には、図１において偏光方向整列素子１８でＳ偏光に揃えられ、照明用レンズ２０を経た白色光が入射される。そして、色分解用クロスプリズム５６から出力される赤色光、青色光、緑色光は夫々反射型液晶素子２６に入射される。
【００３１】
この反射型液晶素子２６は特定の直線偏光成分しか取り扱えないため、偏光方向を揃えた光が入射されなければならない。当該液晶素子２６の直前で偏光方向を揃えると各色光に対して揃えなければならないため、一般に色分解用クロスプリズム５６に入射される前に偏光方向が揃えられていた。また、反射膜は、Ｓ偏光及びＰ偏光で反射特性が変わるため効率的に光を反射させるために偏光方向の揃った光を入射させることが好適であった。尚、反射膜の反射特性からＳ偏光に揃えられることが一般的であるため、Ｓ偏光に揃った光について説明する。
【００３２】
このようにＳ偏光に揃えられた光を３原色光に分解するために、色分解用クロスプリズム５６は、図５（ａ）に示す分光特性を有するＲ反射面５８と図５（ｂ）に示す分光特性を有するＢ反射面６０を備えていた。尚、Ｒ反射面５８及びＢ反射面６０はＳ偏光に対して作用する。図５（ａ）に示すようにＲ反射面５８の境界波長λＲは５９０ｎｍであり、Ｒ反射面５８は赤色光を反射させ緑色光と青色光とを透過させる。また、Ｂ反射面６０の境界波長λＢは図５（ｂ）に示すように５００ｎｍであり、Ｂ反射面６０は青色光を反射させ赤色光と緑色光とを透過させる。そのため、白色光は３原色光に分解される。
【００３３】
ただし、色分解用クロスプリズム５６に入射される光は平行光でないことに注意されたい。これは、反射型液晶素子２４への照明強度を一様にすることを目的として図１のフライアイレンズ１４，１６から出力される光を、一般に図４に示すように照明用レンズ２０により反射型液晶素子２４の全面に渡り照射するためである。色分解用クロスプリズム５６に入射される光が平行光でないためにＲ反射面５８及びＢ反射面６０へ入射する光の角度は入射位置で異なる。通常、反射膜の分光特性は、特定の入射角度に対して設計されているため、入射角度が変わると分光特性が変化する。この分光特性の変化は、境界波長λに顕著に表れ、入射角度により境界波長λが変動する。この変動は、入射角度１０度の差で約２０ｎｍ変動する。従って、例えば、Ｒ反射面５８について説明すれば、Ｒ反射面５８における一方の縁部６２側の部分で反射される光に対しては、入射角度に応じて、より長波長である赤色光側の図５（ａ）の２点鎖線Ａで示す位置に境界波長λＲがある場合がある。この場合の境界波長λＲをλＲ１とする。そして他方の縁部６４側の部分で反射される光に対しては、短波長側である緑色光側の図５（ａ）の２点鎖線Ｂで示す位置に境界波長λＲがある場合がある。この場合の境界波長λＲをλＲ２とする。入射角度により境界波長λＲ１となっている縁部６２側の部分で反射された光は深い赤色に表示され、境界波長λＲ２となっている縁部６４側の部分で反射された光は緑色光側の黄色光も反射される。従って、赤色光のみスクリーンに投影した場合、画面の一方の縁部側が赤色で他方の縁部側がオレンジ色になる、即ち、画面において色ムラが生じる場合がある。
【００３４】
これに対して本実施形態における色分解光学系１０は、偏光変換素子４０を有しており緑色光をＰ偏光にして色分解用クロスプリズム４２に入射させる。このように、緑色光のみ偏光をＰ偏光とすることで、色分解用クロスプリズム４２のＲ反射面４４及びＢ反射面４６の反射波長領域を有効に利用できる。Ｒ反射面４４及びＢ反射面４６は、Ｓ偏光に対して作用するため、緑色光は色分解用クロスプリズム４２を透過する。従って、赤色光を反射するＲ反射面４４及び青色光を反射するＢ反射面４６の境界波長λを、上述したように緑色光の波長領域であって、５４０ｎｍ〜５６０ｎｍに設定することができる。これにより、境界波長λが、例えば、図３（ａ）の２点鎖線で示すように２０ｎｍの幅で変動しても境界波長λは緑色光の波長領域内で変動する。一方、緑色光は上述したようにＲ反射面４４及びＢ反射面４６で反射されずに透過する。このため、図３（ａ）の点線間での境界波長λの変動は反射する光、即ち、５８０ｎｍより長波長の光と５００ｎｍより短波長の光に影響を与えない。従って、境界波長λが２０ｎｍの幅で変動しても赤色光及び青色光の反射には影響が生じない。反射される赤色光及び青色光の波長領域は入射位置に依存しないため、スクリーン上の画面には色ムラが生じない。
【００３５】
また、例えば、従来の色分解光学系の１つとして反射波長領域の異なる２枚のダイクロイックミラーを十字状に交差させたクロスダイクロミラーを利用する場合もある。ただし、この場合、それらミラーの交差部の厚みにより画面上に光量ムラが生じる。上記の色分解用クロスプリズム４２では、夫々の対角面で光を反射させているため、クロスダイクロミラーよりも交差部分の厚みによる光量ムラを抑制できる。
【００３６】
更に、境界波長近傍では、透過率は０％〜１００％に変化するが、従来は色光間、例えば、青色光と緑色光の間に境界波長を有しているため、その変化している波長領域は狭いことが望まれており、反射膜の精度が要求されていた。本実施形態の色分解用クロスプリズムでは、上記のようにＰ偏光で色分解用クロスプリズムを透過する緑色光の波長領域に境界波長を有する。そのため、従来よりも、反射膜の精度が要求されない。従って、より低コストで色分解用クロスプリズム４２を製作することができる。
【００３７】
以上、本発明の好適な実施形態について詳細に説明したが、本発明は上記実施形態に限定されないことは言うまでもない。
【００３８】
上記実施形態では、波長選択性偏光変換素子が偏光を変換する光の波長領域を５００ｎｍ〜５８０ｎｍとしているがこの範囲に限らない。例えば、４９９ｎｍや５８１ｎｍ等のように５００ｎｍ近傍や５８０ｎｍ近傍の波長を含んでいても良い。また、分解したい色光に応じて適宜調整しても良い。
【００３９】
また、Ｒ反射面４４の第１境界波長とＢ反射面４６の第２境界波長を同じ波長としているが、特に同じ波長である必要はなく。５４０ｎｍ〜５６０ｎｍに設定していれば良い。更に、このように境界波長を５４０ｎｍ〜５６０ｎｍに設定するようにしているが、これに限らない。５４０ｎｍ〜５６０ｎｍ近傍の波長でも良い。また、Ｒ反射面及びＢ反射面への入射角度の違いに応じた境界波長の変動を考慮して、その境界波長の変動が反射する赤色光及び青色光に影響を与えないように設定すればよい。
【００４０】
また、本発明の好適な実施形態では反射型液晶素子を用いている液晶プロジェクタを対象としているが、例えば、透過型液晶素子を用いていても良い。
【００４１】
更に、第１の偏光方向をＳ偏光としているが、Ｐ偏光としても良い。この場合、波長選択性偏光変換素子でＰ偏光の緑色光をＳ偏光にして出力させ、Ｒ反射面及びＢ反射面を夫々Ｐ偏光に対して作用させるようにすれば良い。
【００４２】
尚、波長選択性偏光変換素子は、波長を選択する素子と偏光方向を変換する素子とから構成されていても良い。
【００４３】
【発明の効果】
本発明の色分解光学系によれば、波長選択性偏光変換素子から出力される所定の波長領域の緑色光の偏光方向は第２の偏光方向であり、赤色光及び青色光の偏光方向は第１の偏光方向である。そのため、色分解用クロスプリズムのＲ反射面及びＢ反射面は、前記緑色光に影響を与えない。また、Ｒ反射面は、第１境界波長より長波長の光であって緑色光の波長領域以外の光である赤色光を反射し、Ｂ反射面は、第２境界波長より短波長の光であって緑色光の波長領域以外の光である青色光を反射する。このように、本発明の色分解光学系は、入射された白色光を３原色光に分解することができる。
【００４４】
そして、上記緑色光の波長領域に第１境界波長及び第２境界波長が設定されているため、Ｒ反射面及びＢ反射面への白色光の入射角度の違いにより反射面上で前記第１境界波長及び前記第２境界波長が２０ｎｍ程度変動しても赤色光及び青色光の反射特性へ影響が生じない。また、境界波長近傍において透過率の変化している領域がこれまでよりも広くてもよく、反射膜の精度が従来ほど要求されないため、色分解用クロスプリズムを低コストで作製することができる。
【００４５】
また、本発明の色分解光学系では、色分解用クロスプリズムの夫々の対角面がＲ反射面とＢ反射面として機能するため交差部の厚みによる光量ムラも生じない。従って、スクリーンの画面上における色ムラ及び光量ムラを抑えて画画面品質を向上させることができる。
【図面の簡単な説明】
【図１】本発明に係る色分解光学系を適用した液晶プロジェクタの概略構成図である。
【図２】本発明に係る色分解光学系の構成図である。
【図３】（ａ）本発明に係る色分解用クロスプリズムのＲ反射面の分光特性を示す図である。（ｂ）本発明に係る色分解用クロスプリズムのＢ反射面の分光特性を示す図である。
【図４】従来の色分解光学系を示す図である。
【図５】（ａ）図４の色分解用クロスプリズムのＲ反射面の分光特性を示す図である。（ｂ）図４の色分解用クロスプリズムのＢ反射面の分光特性を示す図である。
【符号の説明】
１０…液晶プロジェクタ、１２…ランプ、１４，１６…フライアイレンズ、１８…偏光方向整列素子、２０…照明用レンズ、２２…色分解光学系、２４…偏光ビームスプリッター（ＰＢＳ）、２６…反射型液晶素子、２８…色合成用クロスプリズム、３０…投影レンズ、３２，３４…ミラー、３６…Ｓ偏光を示す黒点、３８…Ｐ偏光を示す矢印、４０…波長選択性偏光変換素子、４２…色分解プリズム、４４…Ｒ反射面、４６…Ｂ反射面、４８〜５４…色分解用クロスプリズムの側面、５６…従来の色分解用クロスプリズム、５８…Ｒ反射面、６０…Ｂ反射面、６２，６４…Ｒ反射面の縁部、λ…境界波長（第１境界波長、第２境界波長）。
【図１】
2004126358.tif 000003
【図２】
2004126358.tif 000004
【図３】
2004126358.tif 000005
【図４】
2004126358.tif 000006
【図５】
2004126358.tif 000007